(57)【特許請求の範囲】
【請求項１】
カットアウトの電線接続部から変圧器のブッシングまで延びる高圧リード線を覆う変圧器ブッシング廻りシートであって、
変圧器のブッシングを着脱可能に把持するブッシングクリップと、前記ブッシングクリップのシート取付部に一端が固定されたシートと、シートを前記高圧リード線の形状に合わせて変形させることができるように支持する背骨部材とを有し、
前記シートは、平面形状が矩形状で且つ半透明の長尺体を下方が開くように長手方向に沿って二つ折りにすると共に、前記高圧リード線の形状に沿って変形できるように長手方向の複数箇所にタックを設け、前記ブッシングクリップのシート取付部に固定された部分が前記ブッシングクリップの開閉にしたがって開閉し、二つ折りすることによって形作られる内部空間に前記高圧リード線を収容できるようになっており、
前記背骨部材は、前記シートの前記内部空間で且つ前記シートの上端部近傍に取り付けられており、
前記ブッシングクリップは、前記ブッシングに当接する部分に、前記ブッシングに対して滑り難く且つ前記ブッシングを傷付けることがないラバー部材を固定してあり、
前記シートの前記内部空間に前記高圧リード線を収容した後、前記シートの長手方向の複数箇所が電線保持クリップによって前記高圧リード線の外表面に把持された状態で固定されるようになっている、
ことを特徴とする変圧器ブッシング廻りシート。
【請求項２】
前記背骨部材は、前記高圧リード線の長さのばらつきに応じて長さ調整ができるように、長手方向の一部に長さ調整手段を設置してある、
ことを特徴とする請求項１に記載の変圧器ブッシング廻りシート。
【発明の詳細な説明】
【技術分野】
【０００１】
この発明は、カットアウトの電線接続部と変圧器のブッシングとの間に掛け渡され、カットアウトの電線接続部から変圧器のブッシングまで延びる高圧リード線を覆うようになっている変圧器ブッシング廻りシートに関するものである。
【背景技術】
【０００２】
従来から、活線状態で配電工事を行う際、容易に腕金，碍子等を被覆でき、良好に地絡・短絡を防止することができる間接活線工法用被覆材が知られている（特許文献１参照）。
【０００３】
また、通常の絶縁シートの仮固定に使用するだけでなく、間接活線工事の際に、活線状態の複数の電線を容易且つ安定的に挟持できる電線挟持具として使用可能な間接工法用シートはさみ及び間接シートが知られている（特許文献２参照）。
【先行技術文献】
【特許文献】
【０００４】
【特許文献１】特開平６−０４４８４７号公報
【特許文献２】特開２０１１−０６２００４号公報
【発明の概要】
【発明が解決しようとする課題】
【０００５】
しかしながら、間接活線工事の際に、カットアウトの電線接続部から変圧器のブッシングまで延びる高圧リード線を簡単に且つ確実に覆う手段がなかった。
そこで、本発明は、カットアウトの電線接続部から変圧器のブッシングまで延びる高圧リード線を簡単且つ確実に覆うことができる変圧器ブッシング廻りシートの提供を目的とする。
【課題を解決するための手段】
【０００６】
本発明は、カットアウト８の電線接続部１０から変圧器２のブッシング３まで延びる高圧リード線１１を覆う変圧器ブッシング廻りシート１に関するものである（図１乃至図５参照）。この発明に係る変圧器ブッシング廻りシート１は、変圧器２のブッシング３を着脱可能に把持するブッシングクリップ４と、前記ブッシングクリップ４のシート取付部５に一端が固定されたシート６と、シート６を前記高圧リード線１１の形状に合わせて変形させることができるように支持する背骨部材７，３３とを有している。そして、前記シート６は、平面形状が矩形状で且つ半透明の長尺体を下方が開くように長手方向に沿って二つ折りにすると共に、前記高圧リード線１１の形状に沿って変形できるように長手方向の複数箇所にタック２０を設け、前記ブッシングクリップ４のシート取付部５に固定された部分が前記ブッシングクリップ４の開閉にしたがって開閉し、二つ折りすることによって形作られる内部空間２１に前記高圧リード線１１を収容できるようになっている。また、前記背骨部材７，３３は、前記シート６の前記内部空間２１で且つ前記シート６の上端部２２近傍に取り付けられている。また、前記ブッシングクリップ４は、前記ブッシング３に当接する部分に、前記ブッシング３に対して滑り難く且つ前記ブッシング３を傷付けることがないラバー部材１８を固定してある。そして、この発明に係る変圧器ブッシング廻りシート１は、前記シート６の前記内部空間２１に前記高圧リード線１１を収容した後、前記シート６の長手方向の複数箇所が電線保持クリップ２４によって前記高圧リード線１１の外表面に把持された状態で固定されるようになっている。
【発明の効果】
【０００７】
本発明の変圧器ブッシング廻りシートによれば、ブッシングクリップを変圧器のブッシングに係合し、変圧器のブッシングからカットアウトの電線接続部との間に架設された高圧リード線をシートの内部空間に収容し、シートの長手方向の複数箇所が電線保持クリップで高圧リード線に固定されるだけで、カットアウトの電線接続部から変圧器のブッシングまで延びる高圧リード線をその高圧リード線の形状に合わせて簡単に且つ確実に覆うことができる。
【０００８】
また、本実施形態に係る変圧器ブッシング廻りシートは、ブッシングクリップのブッシングに当接する部分にラバー部材が設けられているため、ブッシングを傷付けることなく、ブッシングに確実に保持される。
【図面の簡単な説明】
【０００９】
【図１】本発明に係る変圧器ブッシング廻りシートの使用状態を示す図である。
【図２】図２（ａ）が変圧器ブッシング廻りシートの正面図、図２（ｂ）が変圧器ブッシング廻りシートの左側面図、図２（ｃ）が図２（ａ）のＡ１−Ａ１線に沿って切断して示す断面図、図２（ｄ）が図２（ａ）のＡ２−Ａ２線に沿って切断して示す断面図である。
【図３】図３（ａ）がブッシングクリップの正面図であり、図３（ｂ）がブッシングクリップの右側面図である。
【図４】図４（ａ）が電線保持クリップの正面図であり、図４（ｂ）が電線保持クリップの右側面図である。
【図５】図５（ａ）が本発明の変形例に係る変圧器ブッシング廻りシートの正面図、図５（ｂ）が図５（ａ）のＢ部拡大図、図５（ｃ）が背骨部材の長さ調整手段を示す拡大断面図である。
【発明を実施するための形態】
【００１０】
以下、本発明の実施の形態を図面に基づき詳述する。
図１は、本実施形態に係る変圧器ブッシング廻りシート１の使用状態を示す図である。この図１に示すように、変圧器ブッシング廻りシート１は、変圧器２のブッシング３を着脱可能に把持するブッシングクリップ４と、このブッシングクリップ４のシート取付部５（図３の斜線部）に一端が固定されたシート６と、シート６を変形可能に支持する背骨部材７とを有している。そして、この変圧器ブッシング廻りシート１は、変圧器２のブッシング３にブッシングクリップ４で着脱可能に取り付けられ、カットアウト８の電線接続部１０から変圧器２のブッシング３まで延びる高圧リード線１１を覆うことができるようになっている。
【００１１】
ブッシングクリップ４は、図１乃至図３に示すように、一対の把持プレート１２，１２の上端寄りの部分に回動支持部１３、１３が形成され、この回動支持部１３，１３が支持軸１４によって回動可能に支持されている。そして、一対の把持プレート１２，１２は、プラスチックで形成されており、回動支持部１３，１３から下方に向けて延設されたブッシング把持部１５，１５と、回動支持部１３，１３から斜め上方へ向けて延設された操作プレート部１６，１６と、回動支持部１３，１３及びブッシング把持部１５，１５から側方（幅方向）へ張り出すように形成されたシート取付部５，５と、を有している。また、このブッシングクリップ４は、支持軸１４にネジリコイルバネ１７が取り付けられ、そのネジリコイルバネ１７が一対の操作プレート部１６，１６を常時開き方向に付勢し、一対のブッシング把持部１５，１５をネジリコイルバネ１７のばね力で常時閉じ方向に付勢するようになっている。ブッシング把持部１５は、ブッシング３に当接する部分にラバー部材（シリコンゴム等）１８が固定され、ブッシング３を傷付けることなく、ブッシング３を確実に把持できるようになっている。このようなブッシングクリップ４は、一対の操作プレート部１６，１６がネジリコイルバネ１７のばね力に抗して閉じ方向へ操作されると、一対のブッシング把持部１５，１５が一対の操作プレート部１６，１６の操作量に応じて開き、変圧器２のブッシング３に容易且つ確実に脱着できるようになっている。なお、ラバー部材１８は、シリコンゴムに限定されるものではなく、ブッシング３に対して滑り難く、ブッシング３を傷付けることがないような軟らかい部材であればよい。
【００１２】
シート６は、絶縁性を有する合成樹脂で形成された薄肉長尺体であり、容易に変形できるような柔軟性を有し、黄色に着色された半透明性のものである。このシート６は、平面形状が矩形形状の長尺体であり、長手方向の下方が開くように二つ折りされた状態で、一端側が一対の把持プレート１２，１２のシート取付部５，５に上から被せるように接着固定されている。また、このシート６は、長手方向に沿った複数箇所にタック２０が設けられており、高圧リード線１１の形状に沿って変形できるようになっている（図１参照）。また、この二つ折りされたシート６によって形作られる内部空間２１で且つ上端部（折り返し部）２２近傍には、シート６を変形可能に支持するボールチェーン（背骨部材）７が取り付けられている（図１参照）。なお、ボールチェーン７は、長手方向の複数箇所が二つ折りされたシート６の内面側に取付部材（例えば、紐状体）２３で取り付けられており、二つ折りされたシート６の内部空間２１に収容されている。このようなシート６は、ブッシングクリップ４の近傍がブッシングクリップ４の開閉に伴って開閉する。そして、このシート６のうちのブッシングクリップ４の開閉に伴って開閉され難い部分は、作業者の手によって自在に開閉できるようになっている。
【００１３】
このような変圧器ブッシング廻りシート１は、変圧器２のブッシング３にブッシングクリップ４で着脱可能に取り付けられ、カットアウト８の電線接続部１０から変圧器２のブッシング３まで延びる高圧リード線１１を二つ折りのシート６で上方から覆った後、長手方向の複数箇所が電線保持クリップ２４によって高圧リード線１１の外表面に固定される。
【００１４】
電線保持クリップ２４は、図１、図２及び図４に示すように、一対の把持プレート２５，２５の上端寄りの部分に回動支持部２６，２６が形成され、この回動支持部２６，２６が支持軸２７によって回動可能に支持されている。そして、一対の把持プレート２５，２５は、プラスチックで形成されており、回動支持部２６，２６から下方に向けて延設された電線把持部２８，２８と、回動支持部２６，２６から斜め上方へ向けて延設された操作プレート部３０，３０と、を有している。また、この電線保持クリップ２４は、支持軸２７にネジリコイルバネ３１が取り付けられ、そのネジリコイルバネ３１が一対の操作プレート部３０，３０を常時開き方向に付勢し、一対の電線把持部２８，２８をネジリコイルバネ３１のばね力で常時閉じ方向に付勢するようになっている。また、この電線保持クリップ２４は、回動支持部２６，２６の下方近傍に、背骨部材７及びシート６の上部を収容する逃がし凹所３２が形成されている。
【００１５】
以上のような本実施形態に係る変圧器ブッシング廻りシート１は、ブッシングクリップ４を変圧器２のブッシング３に係合し、変圧器２のブッシング３からカットアウト８の電線接続部１０との間に架設された高圧リード線１１をシート６の内部空間２１に収容し、シート６の長手方向の複数箇所が電線保持クリップ２４で高圧リード線１１に固定されるだけで、カットアウト８の電線接続部１０から変圧器２のブッシング３まで延びる高圧リード線１１をその高圧リード線１１の形状に合わせて簡単に且つ確実に覆うことができる。
【００１６】
また、本実施形態に係る変圧器ブッシング廻りシート１は、ブッシングクリップ４のブッシング３に当接する部分にラバー部材１８が設けられているため、ブッシング３を傷付けることなく、ブッシング３に確実に保持される。
また、本実施形態に係る変圧器ブッシング廻りシート１は、シート６が半透明であるため、作業者が高圧リード線１１の取付状態を容易に視認できる。
【００１７】
（変形例）
図５は、変圧器ブッシング廻りシート１の変形例を示す図である。なお、この図５に示す変圧器ブッシング廻りシート１は、背骨部材３３を除く他部分が上記実施形態に係る変圧器ブッシング廻りシート１と同様であるので、上記実施形態に係る変圧器ブッシング廻りシート１の説明と重複する説明を省略する。
この変形例に係る変圧器ブッシング廻りシート１は、背骨部材３３として、自在曲線定規用部材が使用されており、シート６を高圧リード線１１の形状に合わせて変形させることができる（図１参照）。
【００１８】
また、この変形例に適用される背骨部材３３は、長手方向の複数箇所に取付用溝３４が形成されており、この取付用溝３４に係合される取付部材（例えば、紐状体）３５でシート６の内部空間で且つ上端部（折り返し部）２２近傍に取り付けられている（図５（ｂ）参照）。
【００１９】
また、この変形例に適用される背骨部材３３は、長手方向の一部（一箇所又は複数箇所）に長さ調整手段３６を設置することにより、シート６の長さに応じて長さを調整することができる（図５（ｃ）参照）。図５（ｃ）に示すように、長さ調整手段３６は、背骨部材３３の分断された部分に設置され、一方の背骨部材３３ａの一端に固定されたスリーブ３７と、スリーブ３７内をスライド移動できるように他方の背骨部材３３ｂの一端に固定されたリング３８とを有している。また、この長さ調整手段３６は、スリーブ３７の先端に抜け止め突起４０を形成し、その抜け止め突起４０にリング３８が引っ掛かるようにして、スリーブ３７からリング３８が抜け出ないようになっている。これにより、長さ調整手段３６は、スリーブ３７内のリング３８のスライド量分だけ、背骨部材３３の長さを調整できる。したがって、この長さ調整手段３６を備えた背骨部材３３が使用される変圧器ブッシング廻りシート１は、高圧リード線１１の長さにばらつきがある作業現場に容易に適用することができる。なお、シート６は、タック２０の部分で長さ調整をし、高圧リード線１１の長さのばらつきを吸収できる。
また、上記実施形態及び変形例において、背骨部材７，３３の外表面には、絶縁性ゴム又は絶縁性プラスチックの被膜を形成することが好ましい。
【符号の説明】
【００２０】
１    変圧器ブッシング廻りシート
２    変圧器
３    ブッシング
４    ブッシングクリップ
５    シート取付部
７，３３    背骨部材
８    カットアウト
１０    電線接続部
１１    高圧リード線
１８    ラバー部材
２０    タック
２１    内部空間
２２    上端部（折り返し部）
２４    電線保持クリップ
３６    長さ調整手段
【図１】
0005623582.tif 000002
【図２】
0005623582.tif 000003
【図３】
0005623582.tif 000004
【図４】
0005623582.tif 000005
【図５】
0005623582.tif 000006